(57)【要約】【課題】電気的な動力源を用いない簡素な構成で、人の腕または脚の周りの全周に渡って負荷を掛けるマッサージを行うことが可能なマッサージ器を提供する。【解決手段】締付部材２０にてロープ部１０を保持し、ロープ部１０内にふくらはぎを入れてから締付部材２０を回転させてロープ部１０を巻き取ることで、ふくらはぎ周り全周をロープ部１０で締め付けて負荷を掛ける。これにより、電気的な動力源を用いない簡素な構成で、人の腕または脚の周りの全周に渡って負荷を掛けるマッサージを行うことが可能なマッサージ器１とすることができる。【選択図】図６
2020006101.tif 000002
【特許請求の範囲】
【請求項１】
使用者の腕または脚をマッサージ対象部位として、該マッサージ対象部位が挿入可能な径寸法を有する環状のロープ部（１０）と、
前記ロープ部を保持すると共に前記ロープ部による前記マッサージ対象部位の締め付けを行う締付部材（２０）と、を備え、
前記ロープ部内に前記マッサージ対象部位を挿入した状態で前記締付部材を回転操作することで、前記ロープ部の径寸法を縮小させ、前記マッサージ対象部位を締め付けて押圧するようになっていることを特徴とするマッサージ器。
【請求項２】
前記締付部材は、一方向を長手方向とする棒状とされ、
前記長手方向に延びる中心軸を軸として前記締付部材を回転操作し、前記締付部材の周囲に前記ロープ部を巻き取ることで、前記ロープ部の径寸法を縮小させることを特徴とする請求項１に記載のマッサージ器。
【請求項３】
前記締付部材は、前記ロープ部が保持される小径部（２１）と、該小径部よりも径が大きくされ前記使用者が手で握る部分となる大径部（２２）とを有し、
前記小径部の中心軸を軸として前記締付部材を回転させ、前記小径部の周囲に前記ロープ部を巻き取ることで前記ロープ部の径寸法を縮小させることを特徴とする請求項１に記載のマッサージ器。
【請求項４】
前記小径部は、前記ロープ部が保持される位置に対して前記大径部と反対側に突き出した構造とされ、この突き出した部分にて前記マッサージ対象部位の局所的な押圧を行うことを特徴とする請求項３に記載のマッサージ器。
【請求項５】
前記ロープ部には、該ロープ部に前記マッサージ対象部位を挿入した状態で、前記締付部材から離れた位置で該ロープ部を引っ張るための引張部（３）が取り付けられていることを特徴とする請求項１ないし４のいずれか１つに記載のマッサージ器。
【請求項６】
前記ロープ部は、表面に凹凸が形成されている請求項１ないし５のいずれか１つに記載のマッサージ器。
【発明の詳細な説明】
【技術分野】
【０００１】
本発明は、人の腕や脚のマッサージ、特にふくらはぎ（下腿三頭筋）のマッサージに使用することができるマッサージ器に関するものである。
【背景技術】
【０００２】
従来より、様々なマッサージ器が提案されているが、全身用のもので、モータなどの電気的な動力源を用いたものが多い。このようなマッサージ器は、構造が複雑で高コストなものばかりであるため、単に人の腕や脚、例えばふくらはぎを対象としたマッサージ器のような簡素なものが求められている。
【０００３】
このような簡素なマッサージ器として、例えば特許文献１で提案されたふくらはぎマッサージ用具が挙げられる。このふくらはぎマッサージ用具は、布団ばさみのアームの内側に複数の突起を設けた構成とされている。開いたアーム内にふくらはぎを配置した状態で、アームを閉じると、突起がふくらはぎに密着させられ、ふくらはぎのマッサージが行われる。
【先行技術文献】
【特許文献】
【０００４】
【特許文献１】特開２０１１−１１０３０号公報
【発明の概要】
【発明が解決しようとする課題】
【０００５】
しかしながら、特許文献１に提案されているふくらはぎマッサージ用具は、アームの内側に設けた複数の突起によって局所的にふくらはぎをマッサージするというものであり、ふくらはぎの周りの全周に渡って負荷を掛けるというマッサージを行うことができない。
【０００６】
本発明は上記点に鑑みて、電気的な動力源を用いない簡素な構成で、人の腕または脚の周りの全周に渡って負荷を掛けるマッサージを行うことが可能なマッサージ器を提供することを目的とする。
【課題を解決するための手段】
【０００７】
上記目的を達成するため、請求項１に記載の発明では、使用者の腕または脚をマッサージ対象部位として、該マッサージ対象部位が挿入可能な径寸法を有する環状のロープ部（１０）と、ロープ部を保持すると共にロープ部によるマッサージ対象部位の締め付けを行う締付部材（２０）と、を備え、ロープ部内にマッサージ対象部位を挿入した状態で締付部材を回転操作することで、ロープ部の径寸法を縮小させ、マッサージ対象部位を締め付けて押圧するようになっていることを特徴としている。
【０００８】
このように、ロープ部内にマッサージ対象部位を入れてから、ロープ部を保持している締付部材を回転操作することで、ロープ部の系寸法を縮小させられ、マッサージ対象部位の周り全周をロープ部で締め付けて負荷を掛けることができる。これにより、電気的な動力源を用いない簡素な構成で、人の腕または脚の周りの全周に渡って負荷を掛けるマッサージを行うことが可能なマッサージ器とすることが可能となる。
【０００９】
なお、各構成要素等に付された括弧付きの参照符号は、その構成要素等と後述する実施形態に記載の具体的な構成要素等との対応関係の一例を示すものである。
【図面の簡単な説明】
【００１０】
【図１】本発明の第１実施形態にかかるマッサージ器の正面図である。
【図２】図１に示すマッサージ器の分解図である。
【図３】締付部材へのロープ部の取り付けの様子を示した図である。
【図４】マッサージ器を使用する際の持ち方の一例を示した図である。
【図５】ふくらはぎをロープ部内に入れたときの様子を示した図である。
【図６】締付部材の回転操作に基づいてロープ部でふくらはぎを締め付けたときの様子を示した図である。
【図７】締付部材の先端を用いた局所的なマッサージの様子を示した図である。
【図８】他の実施形態で説明する締付部材の他の回転操作の方法を示した図である。
【発明を実施するための形態】
【００１１】
以下、本発明の実施形態について図に基づいて説明する。なお、以下の各実施形態相互において、互いに同一もしくは均等である部分には、同一符号を付して説明を行う。
【００１２】
（第１実施形態）
本発明の第１実施形態について、図１〜図７を参照して説明する。なお、本実施形態で説明するマッサージ器１は、腕や脚をマッサージ対象部位として、いずれの部位のマッサージに適用されても良い。ここでは、脚のうちの特にふくらはぎのマッサージに用いられる場合を例に挙げて説明する。
【００１３】
図１に示すように、本実施形態のマッサージ器１は、ロープ部１０、締付部材２０および引張部３０を有した構成とされている。
【００１４】
ロープ部１０は、使用者のふくらはぎを締め付けることで、ふくらはぎの周りの全周に渡って負荷を掛け、マッサージを行うための部分である。ロープ部１０は、マッサージ対象部位が挿入可能な径寸法、つまりマッサージ対象部位の全周の長さよりも長い全長を有しており、締付部材２０に保持されている。本実施形態の場合、図２に示すように、アルミなどで構成される金属パイプを押し潰した連結部１１によって二本の紐の両端を連結することで環状のロープ部１０が構成されている。そして、図３に示すように、ロープ部１０のうちの連結部１１での連結箇所が締付部材２０内に収容されることでロープ部１０が締付部材２０に保持されている。このロープ部１０のうち締付部材２０の外側に位置する部分の内側にふくらはぎを入れ、締付部材２０を回転操作することによってロープ部１０の径寸法を縮小させることで、ふくらはぎの締め付けによるマッサージが行えるようになっている。なお、このふくらはぎの締め付けによるマッサージの詳細については後述する。
【００１５】
ロープ部１０の材料については任意であり、天然繊維もしくは合成繊維を縒り合わせた紐、樹脂製ロープなどいずれの材料が用いられていても良い。ただし、ふくらはぎの周囲を締め付けることになることから、柔らかい材質のものが好ましく、例えば繊維を縒り合わせた紐でロープ部１０を構成すると好ましい。また、ロープ部１０の太さについても任意であるが、太さが細いと狭い面積に締付力が過度に集中し過ぎてふくらはぎへの負担が大きくなってしまうため、ある程度の太さ以上とするのが好ましい。ここでは、例えば繊維を縒り合わせた直径５ｍｍの紐を２本さらに縒り合わせて１本化したものをロープ部１０として用いることで、ふくらはぎの適度な面積に締め付け力の付加が可能となるようにしている。
【００１６】
締付部材２０は、ロープ部１０の保持およびロープ部１０によるふくらはぎの締め付けを行う部分である。本実施形態の場合、締付部材２０は、一方向を長手方向とした棒状とされている。具体的には、締付部材２０は、中空部を有する筒状部材で構成され、小円筒部２１、大円筒部２２、開口部カバー２３、異径継手部２４およびキャップ部２５を有した構成とされている。
【００１７】
小円筒部２１は、ロープ部１０が保持される部分となる。小円筒部２１は、例えば直径２５ｍｍの円筒状部材で構成され、長さが１３ｃｍ程度とされている。そして、図３に示すように、小円筒部２１の長さ方向中間位置、例えば中央位置に開口部２１ａが形成され、この開口部２１ａ内にロープ部１０の連結部１１が嵌め込まれている。
【００１８】
開口部２１ａは、Ｕ字状に開口させられている。具体的には、開口部２１ａのうちＵ字状の両先端部となる部分は小円筒部２１の軸方向の一方に延びる構成とされ、Ｕ字状の底部、つまり両先端部を連結している部分は小円筒部２１の周方向に延びる構成とされている。このため、小円筒部２１のうちＵ字状とされた開口部２１ａの両先端部の間に位置する部分は、小円筒部２１の中心軸の他方に突き出した突起部２１ｂとなる。そして、ロープ部１０は、連結部１１の部分が開口部２１ａ内に嵌め込まれ、突起部２１ｂをフックとして引っ掛けられるようにして小円筒部２１に保持されている。また、突起部２１ｂにロープ部１０を引っ掛けた後に、開口部２１ａのうちのＵ字状の底部を開口部カバー２３で覆うことで、ロープ部１０が小円筒部２１から抜けないようにされている。
【００１９】
なお、本実施形態では、開口部２１ａの両先端部の先端位置を例えば直径１０〜１２ｍｍの円形穴２１ｃとしてあり、それぞれの円形穴２１ｃ内にロープ部１０が配置されるようにしてある。
【００２０】
大円筒部２２は、使用者が手で握る部分であり、小円筒部２１に連結されて一体とされており、小円筒部２１よりも径が大きくされている。具体的には、大円筒部２２と小円筒部２１とは互いの中心軸が同軸となるように配置され、異径継手部２４を介して連結されている。大円筒部２２の径については任意であるが、典型的な使用法としては、ロープ部１０の締め付けを行う際に大円筒部２２を片手で握って行うことになるため、手の大きさに合った径とされるのが好ましい。ここでは、直径５ｃｍ程度の円筒状部材によって大円筒部２２を構成している。また、大円筒部２２の外周面には、中心軸方向と平行に延びるスリット２２ａが形成されている。スリット２２ａは、大円筒部２２の周方向に等間隔に複数本形成されている。このスリット２２ａにより、ロープ部１０の締め付けを行うときの滑り止め効果が得られる。
【００２１】
開口部カバー２３は、円環状の一部が開口部とされたＣ字状部材で構成され、内径が小円筒部２１の外径よりも若干小さくされている。開口部カバー２３は、弾性変形によって開口部が広がり、広がった後には弾性反力によって元の形状に戻る。このため、小円筒部２１の開口部２１ａに連結部１１を嵌め込み、ロープ部１０を突起部２１ｂに引っかけた後に、開口部カバー２３を小円筒部２１に嵌め込むと、開口部カバー２３が小円筒部２１の外周面に弾性反力により密着させられる。これにより、開口部２１ａのうちのＵ字状の底部が開口部カバー２３で覆われ、ロープ部１０が小円筒部２１から抜けることが抑制される。
【００２２】
異径継手部２４は、小円筒部２１と大円筒部２２とを連結する部材であり、段付き筒形状で構成されている。異径継手部２４の一端は、内径が小円筒部２１の外径と同径とされ、内部に小円筒部２１が嵌め込まれて接着固定されている。また、異径継手部２４の他端は、内径が大円筒部２２の外径と同径とされ、内部に大円筒部２２が嵌め込まれて接着固定されている。このようにして、異径継手部２４を介して小円筒部２１と大円筒部２２とが一体化されている。
【００２３】
キャップ部２５は、小円筒部２１のうち大円筒部２２と反対側の先端を覆うカバーであり、小円筒部２１に接着固定されている。キャップ部２５は無くても良いが、後述するように小円筒部２１の先端によって、ロープ部１０の締め付けとは別にふくらはぎを局所的に押圧してマッサージすることも可能となっている。このため、よりマッサージに適した形状となるように、小円筒部２１の先端にキャップ部２５を配置している。キャップ部２５は、有底円筒状とされている。キャップ部２５のうちの底部と側壁部との境界部については、これら底部と側壁部とがなす角度が直角とされることで尖った形状とされていても良いが、マッサージを行うときの押圧力を緩和できるように、丸みを帯びたＲ形状とされていると好ましい。
【００２４】
引張部３０は、ロープ部１０に取り付けられている。引張部３０は、ロープ部１０内にふくらはぎを挿入した後、ふくらはぎの締め付ける位置を調整するためにロープ部１０を引っ張るための部材である。本実施形態の場合、ロープ部１０に環状の紐を取り付けることで引張部３０を構成している。
【００２５】
以上のようにして、本実施形態にかかるマッサージ器１が構成されている。続いて、図４〜図７を参照して、マッサージ器１によるマッサージ方法について説明する。ここでは、マッサージ器１にて、使用者の左脚のふくらはぎのマッサージをする場合を例に挙げて説明する。
【００２６】
図４に示すように、使用者から見て、締付部材２０が左側に、ロープ部１０が締付部材２０の右側に配置されるようにする。締付部材２０のうち大円筒部２２側を左手で持ち、小円筒部２１側が左脚の爪先側を向くようにする。また、引張部３０がロープ部１０のうちの締付部材２０から離れた位置、好ましくは締付部材２０の反対側に配置する。図４では、右手で引張部３０を持つようにしている。
【００２７】
この状態でロープ部１０の内側を広げ、図５に示すようにロープ部１０の中に左脚を挿入し、ロープ部１０をふくらはぎの位置まで移動させる。このときの位置は任意であるが、心臓から遠い位置から近い位置に順に移動するようにマッサージを行うことが好ましいことから、ふくらはぎでマッサージを行いたい部位のうち最も爪先側の部位にロープ部１０を配置すると良い。
【００２８】
そして、図６に示すように、ロープ部１０にふくらはぎを挿入した状態で、締付部材２０を小円筒部２１および大円筒部２２の中心軸を軸として時計回りもしくは反時計回りに回転させる。マッサージ対象部位が左脚の場合は時計回り、右脚の場合は反時計回りとすると、回転操作力を加え易くできる。この回転を続けると、小円筒部２１の外周面にロープ部１０が巻き取られ、ふくらはぎ周りのロープ部１０の径方向寸法が縮小されていき、ロープ部１０がふくらはぎの全周に接触する。また、小円筒部２１またはキャップ部２５も、ふくらはぎに接触するか、もしくは接触するほど近づく。ここから更に締付部材２０の回転を続けると、ふくらはぎの全周が締め付けられて押圧されるため、心地良い痛みを感じた時点で締付部材２０の回転を止める。このようにして、ふくらはぎの周りの全周に渡って締め付け負荷を掛けることが可能となり、マッサージ効果を得ることができる。
【００２９】
なお、締め付けを行う際に、右手で引張部３０を引っ張っている必要は無いが、引っ張るようにすれば、ロープ部１０の位置決めを補助することもできる。また、締付部材２０の配置については任意であるが、ロープ部１０が巻き取られたときに小円筒部２１またはキャップ部２５が接触する部位が腓骨の上となるようにすると好ましい。このようにすると、小円筒部２１とロープ部１０との間に皮膚が挟まれ難くなるようにできる。
【００３０】
さらに、本実施形態のマッサージ器１においては、ロープ部１０を小円筒部２１の長さ方向（軸方向）中間位置に保持されるようにしている。このため、ロープ部１０に対して大円筒部２２と反対側において、小円筒部２１の先端位置が突き出た構造となる。この突き出した部分の先端部を利用して、ふくらはぎや前脛骨筋などのふくらはぎの周辺の筋に対して押圧によるマッサージを行うことも可能となる。なお、本実施形態の場合、この小円筒部２１の先端部にキャップ部２５を備えているため、キャップ部２５にて押圧によるマッサージを行えるようになっている。
【００３１】
具体的には、図７に示すように、ロープ部１０によってふくらはぎに締め付け負荷を掛けた状態で、図中矢印Ａの方向に大円筒部２２が移動するように力を加える。これにより、大円筒部２２に力を加えた位置を力点、ロープ部１０が小円筒部２１に取り付けられた位置を支点、キャップ部２５を作用点として、図中矢印Ｂで示すようなテコの原理に基づく押圧力をふくらはぎやその周辺の筋に対して加えることができる。
【００３２】
そして、小円筒部２１の先端部、ここではキャップ部２５によって局所的な押圧が可能となることから、ふくらはぎやその周辺の筋のツボを狙って押圧することで、よりマッサージ効果を得ることができる。特に、小円筒部２１の先端にキャップ部２５を備えるようにしているため、キャップ部２５の位置ではキャップ部２５の厚み分、小円筒部２１よりも大径となる。このため、小円筒部２１の周囲に巻き取られたロープ部１０があっても、ロープ部１０が干渉して押圧し難くなることを抑制でき、的確な押圧が可能となる。また、キャップ部２５の底部と側壁部との境界部が丸みを帯びたＲ形状となっていることから、マッサージを行うときの押圧力がある程度広い面積で受け止められるようにでき、過度に押圧力が加えられることを抑制できる。
【００３３】
なお、この後に、締付部材２０を繰り返し往復回転させて、ロープ部１０による締付力を緩めたり、強めたりする動作を複数回、例えば２、３回繰り返すようにすれば、より効果的なマッサージを行える。このときの締付部材２０の往復回転の回転量について任意であるが、例えば１／４回転程度行えば良い。また、締付部材２０を繰り返し往復回転させなくても、締付部材２０を左右に振ったりして、締付力に強弱を付けるようにしても良い。
【００３４】
さらに、位置を変えて、ふくらはぎの異なる位置のマッサージを行う。このときには、締付部材２０を締め付け時と反対方向に回転させてロープ部１０による締付力を緩めたのち、締付部材２０を移動させてロープ部１０の位置を調整する。また、移動距離についても任意であるが、例えばふくらはぎでマッサージを行いたい部位を足首側から膝下に向かって数等分した距離、例えば３〜５ｃｍとすると好ましい。これにより、ふくらはぎの広範囲を順にマッサージすることが可能となる。また、このときに、引張部３０を用いてロープ部１０における締付部材２０と反対側の部位を引っ張るようにすれば、より円滑にロープ部１０を移動させることが可能となる。
【００３５】
このような動作を足首側から膝下に向かって一通り行うことで、ふくらはぎ全域のマッサージを行うことができる。この動作を複数回繰り返せば、よりマッサージ効果を高めることができる。特に、繰り返す際には、前にロープ部１０で締付力を加えた部位と異なる部位、例えば締付力を加えた部位同士の中間位置に締付力が加えられるようにすると好ましい。
【００３６】
なお、ここでは左脚のふくらはぎを例に挙げて説明したが、右脚のふくらはぎをマッサージする際には、マッサージ器１を上記と左右逆の配置として使用すれば良い。
【００３７】
以上説明したように、締付部材２０にてロープ部１０を保持し、ロープ部１０内にふくらはぎを入れてから締付部材２０を回転させてロープ部１０を巻き取ることで、ふくらはぎ周り全周をロープ部１０で締め付けて負荷を掛けることができる。これにより、電気的な動力源を用いない簡素な構成で、人の腕または脚の周りの全周に渡って負荷を掛けるマッサージを行うことが可能なマッサージ器１とすることができる。
【００３８】
また、締付部材２０を、ロープ部１０の巻き取りを行う小円筒部２１と、締付部材２０の回転を行う際に手で持つ部分となる大円筒部２２とを有した構成としている。このため、大円筒部２２を手で持って回転させることで、それよりも径が小さくされた小円筒部２１を回転させてロープ部１０を巻き取ることができる。つまり、大円筒部２２を小さな力で回転させても、テコの原理に基づいて、小円筒部２１の巻き取り力を大きく作用させられる。したがって、少しの力でマッサージ器１を使用できる。
【００３９】
また、ロープ部１０を２本の紐を縒り合わせて一本化したものとしているため、表面にうねりによる凹凸が生じる。このため、ふくらはぎに接触する際に、ふくらはぎの周りの全周を締め付けつつ、周方向において締付力に強弱を付けることが可能となり、よりマッサージ効果を高めることができる。
【００４０】
（他の実施形態）
本発明は上記した実施形態に限定されるものではなく、特許請求の範囲に記載した範囲内において適宜変更が可能である。また、上記実施形態において、実施形態を構成する要素は、特に必須であると明示した場合および原理的に明らかに必須であると考えられる場合等を除き、必ずしも必須のものではないことは言うまでもない。また、上記各実施形態において言及した、実施形態の構成要素の個数、数値、量、範囲等の数値についても、特に必須であると明示した場合および原理的に明らかに特定の数に限定される場合等を除き、その特定の数に限定されるものではない。また、上記各実施形態において、構成要素等の形状、位置関係等についても、特に明示した場合および原理的に特定の形状、位置関係等に限定される場合等を除き、その形状、位置関係等に限定されるものではない。
【００４１】
（１）例えば、上記した実施形態では、ロープ部１０が小円筒部２１の長さ方向中間位置に保持されるようにすることで、小円筒部２１の先端位置がロープ部１０よりも突き出すようにしている。これは、小円筒部２１またはキャップ部２５にて局所的な押圧を行えるようにするためであり、ロープ部１０の締付力によるマッサージ機能を得るためには必須のものではない。
【００４２】
（２）また、上記した実施形態では、小円筒部２１を円筒状部材で構成し、開口部２１ａを設けてロープ部１０が保持されるようにしたが、これも一例を示したに過ぎない。例えば、小円筒部２１に径方向に貫通する貫通孔を形成し、この貫通孔内にロープ部１０を挿通させる構成であっても良い。その場合、環状とする前のロープ部１０を貫通孔に挿通させたのち、ロープ部１０の両端を連結部１１で連結することで、ロープ部１０が環状となるようにすれば良い。
【００４３】
（３）また、ロープ部１０については、ロープ部１０自体が環状となっていなくても、締付部材２０に保持された状態において、ロープ部１０と締付部材２０とが一体となってロープ部１０が環状となっていれば良い。例えば、環状ではないロープ部１０の一端と他端がそれぞれ締付部材２０に固定される構造であっても良い。また、ロープ部１０自体を環状とする場合も、連結部１１を用いずに、熱溶着などによって環状としても良い。  
【００４４】
（４）さらに、上記した実施形態では、小円筒部２１、大円筒部２２、開口部カバー２３、異径継手部２４およびキャップ部２５を接着固定などで一体化することで締付部材２０を構成した。これも一例を示したのであり、締付部材２０を樹脂成形などによって初めから一体構造で構成しても良い。勿論、締付部材２０を構成する各部をアルミなどの金属によって構成しても良いし、金属の一体成形によって締付部材２０を構成しても良い。締付部材２０を一体構造で構成するようにすれば、部品点数の削減が図れると共に締付部材２０の製造工程の簡素化を図ることが可能となる。
【００４５】
（５）また、上記した実施形態では、小円筒部２１および大円筒部２２というように、小径部と大径部を共に円筒部材で構成したが、中実の構造とされていても良い。この構造は、締付部材２０を樹脂で構成する場合に限らず、金属で構成する場合にも適用できる。
【００４６】
（６）また、上記した実施形態では、締付部材２０の回転操作の方法として、小円筒部２１の周囲にロープ部１０が巻き取られるように、締付部材２０を小円筒部２１や大円筒部２２の中心軸を軸として時計回りまたは反時計回りに回転させる場合を説明した。これも一例を示したに過ぎず、例えば図８に示すように、ロープ部１０の保持位置を回転中心とし、脚と締付部材２０とが並ぶ方向を回転軸として、締付部材２０を回転させるようにしても、ロープ部１０による締付力を発生させられる。
【００４７】
（７）また、上記した実施形態では、締付部材２０に小円筒部２１や大円筒部２２を設けて径が変化する棒状の構造としたが、径が変化しない直線状の棒状で構成しても良い。つまり棒状の締付部材２０を長手方向に伸びる中心軸を軸として回転、もしくは、ロープ部１０の保持位置を回転中心として回転させることで、ロープ部１０の径寸法を縮小し、マッサージ対象部位を締め付けてマッサージできれば良い。
【００４８】
（８）また、上記した実施形態では、ロープ部１０の表面に凹凸部を構成するために、２本の紐を縒り合わせてロープ部１０を構成した。これも一例を示したに過ぎず、２本以上の複数本の紐状のロープを縒り合わせることで、ロープ部１０の表面にうねりによる凹凸を形成しても良いし、樹脂製ロープなどを用いて予め表面に凹凸を形成しておいても良い。
【００４９】
（９）また、大円筒部２２の滑り止めのためにスリット２２ａを形成したが、スリット２２ａ以外の滑り止め構造、例えば大円筒部２２の表面に凹凸を設けたり、大円筒部２２の表面をラバーで覆ったりする構造としても良い。
【符号の説明】
【００５０】
１…マッサージ器、１０…ロープ部、１１…連結部、２０…締付部材、２１…小円筒部、２１ａ…開口部、２１ｂ…突起部、２１ｃ…円形穴、２２…大円筒部、２２ａ…スリット、２３…開口部カバー、２４…異径継手部、２５…キャップ部、３０…引張部
【図１】
2020006101.tif 000003
【図２】
2020006101.tif 000004
【図３】
2020006101.tif 000005
【図４】
2020006101.tif 000006
【図５】
2020006101.tif 000007
【図６】
2020006101.tif 000008
【図７】
2020006101.tif 000009
【図８】
2020006101.tif 000010
【手続補正書】
【提出日】令和1年6月7日(2019.6.7)
【手続補正１】
【補正対象書類名】特許請求の範囲
【補正対象項目名】請求項５
【補正方法】変更
【補正の内容】
【請求項５】
前記ロープ部には、該ロープ部に前記マッサージ対象部位を挿入した状態で、前記締付部材から離れた位置で該ロープ部を引っ張るための引張部（３０）が取り付けられていることを特徴とする請求項１ないし４のいずれか１つに記載のマッサージ器。
【手続補正２】
【補正対象書類名】図面
【補正対象項目名】図４
【補正方法】変更
【補正の内容】
【図４】
2020006101.tif 000011
【手続補正３】
【補正対象書類名】図面
【補正対象項目名】図５
【補正方法】変更
【補正の内容】
【図５】
2020006101.tif 000012
【手続補正４】
【補正対象書類名】図面
【補正対象項目名】図６
【補正方法】変更
【補正の内容】
【図６】
2020006101.tif 000013